(57)【要約】【課題】  通信装置等がモジュール化されたデータリンクモジュールと、データリンクモジュールが挿着／挿脱されるケージの係止／係止解除を、データリンクモジュールの挿脱にあわせて行う。【解決手段】挿着状態（Ａ）において、係止ピン（１２２）が係止孔（４３）に嵌合して係止した状態で、ケージ（４）にデータリンクモジュール（１）が挿着されている状態から、把手（３）を起こす（Ｂ）ことにより、板カム（３１）のカム動作によってＴ形舌片（２２）が押し下げられ、これに追動してＩ形舌片（４２）が押し下げられることにより、係止孔（４３）が係止ピン（１２２）から解合し、挿脱（Ｃ）される構成とする。【選択図】      図１
2005249892.tif 000002
【特許請求の範囲】
【請求項１】
ケージに収容可能なデータリンクモジュールであって、
前記データリンクモジュールは、前記ケージに設けられたケージ舌片の係止孔と嵌合可能な係止ピンと、外部コネクタと嵌合可能なコネクタ嵌合部と、前記コネクタ嵌合部に可動的に接続された把手と、前記外部コネクタと接続される送信素子および／または受信素子と、前記送信素子および／または受信素子と接続される制御回路と、前記制御回路の電位を外部と接続する電気インターフェースとをハウジング内に収容してなり、
前記ハウジングは、これと弾性的に結合されるとともに、前記係止ピンが遊嵌する逃げ孔を有するハウジング舌片を備え、
前記データリンクモジュールが前記ケージ内に挿入された状態で前記把手を駆動することにより、前記ハウジング舌片を変位させ、前記ケージ舌片と前記係止ピンとの嵌合状態を解除することを特徴とするデータリンクモジュール。
【請求項２】
前記把手は前記コネクタ嵌合部に対して係止軸を中心に可動的に接続されてなり、前記把手の係止軸周辺に設けられたカムにより、前記把手の駆動時に前記ハウジング舌片を変位させることを特徴とする請求項１記載のデータリンクモジュール。
【請求項３】
前記制御回路はプリント板に設けられてなり、前記電気インターフェースは前記プリント板の端部に設けられた外部接続端子であって、前記データリンクモジュールが前記ケージに収容された状態で当該電気インターフェースは外部と接続されることを特徴とする請求項１記載のデータリンクモジュール。
【請求項４】
前記ハウジングは全体が弾性部材によって構成され、前記プリント板は前記ハウジングとの間にスペーサ部材を介してその位置を規制されてなることを特徴とする請求項３記載のデータリンクモジュール。
【請求項５】
前記コネクタ嵌合部には、前記把手の可動範囲を制限するガイドピンが設けられてなることを特徴とする請求項１記載のデータリンクモジュール。
【発明の詳細な説明】
【技術分野】
【０００１】
本発明は、電気信号または光信号の入力や出力を行う通信装置のモジュール構造、特にモジュールとケージの係止構造、および、係止の解除を行う構造に関する。
【背景技術】
【０００２】
電気信号または光信号の入力や出力を行う通信装置がモジュール化され、モジュールを収納するケージに挿着／抜脱が可能なモジュール構成が知られている。モジュール化される通信装置としては、例えば、光信号を光ファイバを介して伝送するために電気的なデータ信号を光信号に変換するモジュールや、光ファイバを介して受信した光信号を電気的なデータ信号に変換するモジュールが知られている。
【０００３】
小形化を指向した光通信装置の分野では、構成要素の仕様の標準化が進められており、モジュールおよびケージの寸法や、光／電気のインターフェース部の互換性、モジュールのケージへの挿脱に関する機械的な互換性等についても、規格が定められている。
【０００４】
図８は従来の技術による、モジュール化された光通信装置の挿脱機構の一構成を斜視図で示したものである。
【０００５】
図８において、挿脱可能な光モジュール１は、ケージ４に挿着されており、デバイス類が実装されたプリント板１３と、短手方向の一端に設けられる光インターフェース部１２と、短手方向の他端に設けられる電気インターフェース部１４と、プリント板１３等を内装するハウジング２とからなる。
【０００６】
プリント板１３には、光電変換回路を構成するデバイス類や電源回路が搭載される。短手方向の一端に設けられた光インターフェース部１２は、光モジュール１をケージ４に挿着した図８に示される状態においても外部に露呈し、図示しない光ファイバケーブルが結合する。
【０００７】
光モジュール１の短手方向の他端に設けられたの電気インターフェース部１４には、プリント板１３の端部にプリントコンタクト１４１が設けられており、光モジュール１をケージ４の中に挿着した図８の状態では、ケージ４が装着された図示しないマザーボード等に設けられたカードエッジコネクタと、プリントコンタクト１４１が嵌合する。
【０００８】
ハウジング２は、光モジュール１に実装されたプリント板１３や光コネクタ等を電磁的に遮蔽し、あるいは、機械的に保護するものであり、光モジュール１の底面を除く３方向を覆う形で上から被せたり、光モジュール１の周囲を包む形で長手方向に嵌め込む構成である。
【０００９】
また、図８に示されるケージ４に挿着／抜脱が可能な光モジュール１は、モジュールをケージに挿脱する機構と、モジュールのケージ挿着時にモジュールをケージに係止する機構を備える。
【００１０】
図８に示される光モジュール１がケージ４に挿着された状態において、光モジュール１の長手方向の側面に突設された係止ピン１２２と、ケージ４の対応する側面に穿かれた係止孔４３とが嵌合することにより、光モジュール１とケージ４が係止される。
【００１１】
光モジュール１のケージ４からの抜脱は、係止ピン１２２と係止孔４３による係止を解除後、把手３により光モジュール１を引き出すことにより行われる。光モジュール１を矢印：５３の方向に引き出すために、把手３は、挿着状態から矢印：５１の方向に起こされる。
【００１２】
ここで、光モジュール１をケージ４に押し込んで挿着すると係止ピン１２２が係止孔４３に自発的に嵌合して係止され、把手３を矢印：５１の方向に起こすと係止ピン１２２が係止孔４３から解合して拘束が解け、矢印：５３の方向に引き出すと容易に抜き取ることができるようにすると、光モジュール１のケージ４への挿脱と係止／係止解除を連動して行うことができる。
【００１３】
このような動作を実現する機構として、光モジュールの前面に把手を設け、その把手を手前に引き出す際に把手を起こすと、その把手を起こす動きに追動して係止ピンを逃がし
、嵌合している係止孔を係止ピンから外す方法が知られている。
【００１４】
この従来技術による構成として、ピボットブロックの軸を挟んだ一方に係止ピンが突設され、他方が把手のカムに掛合し、光モジュールをケージから引き出すために把手を起こすと、把手のカム機構によってピボットブロックの他方が押し上げられ、その反動でピボットブロックの一方が押し下げられて係止ピンが逃げて係止孔から解合する構成が知られている。（例えば、特許文献１参照。）。
【００１５】
また、把手の回動で嵌脱する機構の別の例として、把手を起こすと押し舌（ｐｕｓｈ  ｔａｂ）が移動し、追動して揺動するアクチュエータを介して突起（ｂｏｓｓ）が押し下げられ、係止ピンが逃げて係止孔から解合する構成が知られている。（例えば、特許文献２参照。）。
【００１６】
また、把手の回動で嵌脱する機構の別の構成として、把手を起こすとスライダがスライドし、ケージに設けられた舌片が押し上げられ、これをもってモジュールに固定的に設けられた係止ピンとケージに設けられた舌片との嵌合が解除される機構が知られている。（例えば、特許文献３参照）
【特許文献１】米国特許第６，４３９，９１８号明細書
【特許文献２】米国特許出願公開第２００２／０１５０３４４号明細書
【特許文献３】米国特許第６，４３０，０５３号明細書
【発明の開示】
【発明が解決しようとする課題】
【００１７】
このように、光モジュールをケージから挿脱する際に、光モジュールとケージの係止を解合する機構として、把手を引き起こす際の回転力やカム機構などを利用し、係止ピンを引っ込める構成が知られている。しかし、それらの機構では、把手の操作によって係止ピンを引っ込めるために係止ピンの上下動以外の動きを制する必要があり、把手と係止ピンの間に複数の可動部材を介する構成となる。
【００１８】
すなわち、把手の操作に伴い係止ピンを引っ込める構成では、部品点数の増加と、それに伴う部材費や組立の煩雑さによる工数の増加が避けられない。
【００１９】
また、光モジュールおよびケージの寸法は限られており、係止解除機構の寸法を小さくすることが求められるから、把手と係止ピンの間に複数の可動部材を設けることは、この点でも不利になる。
【００２０】
光モジュールとケージの係止を解合する機構として、ケージに設けられた舌片を押し上げる機構を採用した場合、この機構（特許文献３ならばスライダ）は、定常状態では、ケージに設けられた舌片に対する付勢を解除する位置でなければならない。
【００２１】
しかし、付勢を解除するためには操作者が指で把手を押し込んで付勢機構を解除位置に位置させる必要があり、操作が煩雑になってしまう。
【００２２】
そこで本発明は、簡単な機構で、また、ケージに設けられた舌片に対する付勢を解除する位置を自然に実現することの可能なデータリンクモジュールを実現することを目的とする。
【課題を解決するための手段】
【００２３】
本発明は上記課題を解決するものであって、第１の発明は、ケージに収容可能なデータリンクモジュールであって、データリンクモジュールは、ケージに設けられたケージ舌片の係止孔と嵌合可能な係止ピンと、外部コネクタと嵌合可能なコネクタ嵌合部と、コネクタ嵌合部に可動的に接続された把手と、外部コネクタと接続される送信素子および／または受信素子と、送信素子および／または受信素子と接続される制御回路と、制御回路の電位を外部と接続する電気インターフェースとをハウジング内に収容してなり、ハウジングは、これと弾性的に結合されるとともに、係止ピンが遊嵌する逃げ孔を有するハウジング舌片を備え、データリンクモジュールがケージ内に挿入された状態で把手を駆動することにより、ハウジング舌片を変位させ、ケージ舌片と係止ピンとの嵌合状態を解除することを特徴とする。
【００２４】
第１の発明によるデータリンクモジュールでは、ハウジング舌片を変位させることで、ケージ舌片と係止ピンとの嵌合状態を解除し、このハウジング舌片はハウジングに対して弾性的に設けられている。このため、ハウジング舌片に対して変位を付勢されていない状態では、この弾性力によりケージ舌片と係止ピンとが嵌合可能な状態に自然に維持される。
【００２５】
これにより、誤操作などの理由によりハウジング舌片に付勢がなされようとしても、自然にそれが阻止できて、データリンクモジュールのケージ内への挿入を容易にすることができる。
【００２６】
また、第１の発明によるデータリンクモジュールは、把手がコネクタ嵌合部に対して係止軸を中心に可動的に接続されてなり、把手の係止軸周辺に設けられたカムにより、把手の駆動時にハウジング舌片を変位させる構成としてもよい。
【００２７】
これにより、カムという容易な機構により、ハウジング舌片は把手の駆動とリンクして変位させることができる。
【００２８】
また、第１の発明によるデータリンクモジュールは、制御回路がプリント板に設けられてなり、電気インターフェースはプリント板の端部に設けられた外部接続端子であって、データリンクモジュールが前記ケージに収容された状態で当該電気インターフェースは外部と接続させる構成としてもよい。
【００２９】
これにより、電気インターフェースはカードエッジコネクタと接続可能となり、本データリンクモジュールをケージに挿入することにより、同時に外部との電気的接続が可能になる。
【００３０】
データリンクモジュールがカードエッジコネクタなどと接続を行う場合、プリント板はその上下で移動が無いように規制する必要がある。一般にはハウジングとプリント板との間にスペーサを介在して規制を行うが、プリント板の高さとハウジング内面の高さとの間には、公差が存在する。
【００３１】
第１の発明によるデータリンクモジュールにおいて、ハウジング舌片は弾性的にハウジングと接続されるが、ハウジング全体を弾性部材で構成してもよい。
【００３２】
これによりハウジングの弾性力によって、プリント板とハウジングとの距離の公差分が吸収可能となり、容易にプリント板の高さを規制することができる。
【００３３】
また、第１の発明によるデータリンクモジュールにおいて、コネクタ嵌合部には、把手の可動範囲を制限するガイドピンが設けてもよい。
【００３４】
把手は、その駆動によってハウジング舌片を変位させるが、ハウジング舌片は弾性的にハウジングと接続されているため、過剰な駆動力をハウジング舌片に印加することは避ける必要がある。この問題は、ガイドピンによって把手の駆動を規制することで、解消できる。
【発明の効果】
【００３５】
本発明によれば、光モジュールに設けた係止ピンを駆動せず、把手の起立／倒立の簡易な操作によって係止ピンが嵌合するケージに設けた係止孔を上下動させることによって、係止ピンと係止孔の嵌脱、つまり、光モジュールとケージとの係止／解止を容易に行うことができる。
【発明を実施するための最良の形態】
【００３６】
〔第１の実施形態〕
図１は本発明によるデータリンクモジュールである光モジュールの、ハウジングであるケージへの挿脱を下方から見た斜視図、図２は把手のカム動作を示す要部の側断面図である。
【００３７】
図１において、本発明になる光モジュール構造は、光モジュール１が挿脱されるケージ４と係わる構成になっており、光モジュール１がケージ４に挿着されると自発的に係止され、抜脱する際には光モジュール１の把手３を起立させれば解止して容易に引き抜くことができる構成である。
【００３８】
図１（Ａ）は、光モジュール１がケージ４の中に挿着されている状態を下から見上げた斜視図で、把手３は矢印：５０の方向にコネクタ嵌合部１２１に抱かれて倒立している。この状態では、ケージ４の、本発明のケージ舌片に対応するＩ形舌片４２に係止孔４３が設けられ、係止孔４３から係止ピン１２２が突出している。光モジュール１は挿着されたケージ４から引き抜かれる方向の外力に耐えるように、係止ピン１２２は手前側が一辺をなす多角形か半円形で、係止孔４３の方も係止ピン１２２と類似の形状になっている。その結果、光モジュール１はケージ４に係止されて拘束された状態にある。
【００３９】
図１（Ｂ）は、光モジュール１の把手３を矢印：５１の方向に起立させた状態を下から見上げた斜視図である。把手３の両脚の端部の板カム３１が矢印：５６の方向に回転し、ハウジング２の、本発明のハウジング舌片に対応するＴ形舌片２２が矢印：５２の方向に押下され、その動作に追動してケージ４のＩ形舌片４２も下方に撓んだ状態になる。その結果、係止孔４３から突出した係止ピン１２２に係止されていた係止孔４３が解止し、光モジュール１はケージ４による拘束が解けて自由に動けるようになる。
【００４０】
図１（Ｃ）は、光モジュール１をケージ４から抜脱する途中の状態を下から見上げた斜視図である。
【００４１】
把手３を起立させたまま光モジュール１を矢印：５３の方向に引き出せば、Ｔ形舌片２２は押下されたままになっているが、Ｉ形舌片４２はＴ形舌片２２が通過すると矢印：５４の方向に戻るようになっている。
【００４２】
図２は光モジュール１の図１における手前側の側断面を示している。図２によって把手のカム動作を説明すると、把手３の両脚の端部は板カム３１になっており、コネクタ嵌合部１２１の両側面のカム軸３２に枢支されている。
【００４３】
図２（Ａ）に示したように、把手３が矢印：５０の方向にコネクタ嵌合部１２１に抱かれている状態を倒立している。この倒立状態では、板カム３１はカム動作をしていないので、板カム３１に当接しているハウジング２の弾性部材からなるＴ形舌片２２は矢印：５５の方向に消勢状態で元の位置にあり、係止ピン１２２がハウジング２の逃げ孔２３とケージ４の係止孔４３を挿通して係止状態にある。
【００４４】
図２（Ｂ）のように、把手３を矢印：５１の方向に操作して起立した状態になると、板カム３１が矢印：５６の方向に作動してＴ形舌片２２を矢印：５２の方向に付勢する。その結果、ケージ４のＩ形舌片４２が追動して矢印：５７の方向に付勢され、係止ピン１２２が逃げ孔２３と係止孔４３から解止して光モジュール１をケージ４から矢印：５３の方向に引き出して抜き取ることができるようになる。
【００４５】
ここで、Ｔ形舌片２２やＩ形舌片４２を弾性部材によって構成すれば、把手３の操作に伴う板カム３１に駆動されたＴ形舌片２２とＩ形舌片４２の付勢と消勢を好都合に繰り返すことができる。
【００４６】
つまり、把手３が倒立した状態で光モジュール１をケージ４に挿入すると、逃げ孔２３から突出している係止ピン１２２が通過するときにＩ形舌片４２が一旦下方向に付勢されて押下したあと、係止ピン１２２が係止孔４３に嵌合して自発的に消勢されて元に戻り、光モジュール１がケージ４に係止され挿着が完了する。
【００４７】
次いで、光モジュール１をケージ４から抜脱する際には、把手３を起立すれば、板カム３１のカム動作によってＴ形舌片２２とそれに追動するＩ形舌片４２が下方向に付勢されて、係止ピン１２２が逃げ孔２３と係止孔４３から解合する。光モジュール１をケージ４から引き出せば、逃げ孔２３が係止ピン１２２を通過するときにＩ形舌片４２は自発的に消勢して元に戻る。
〔第２の実施形態〕
図３は本発明によるデータリンクモジュールである光モジュールの下面を上にして見た斜視図である。図３（Ａ）は把手３を倒立させて光モジュール１を矢印：５９の方向に図示してないケージに挿入する場合、図３（Ｂ）は把手３を起立させて光モジュール１を矢印：５３の方向に図示してないケージに挿入する場合を示す。
【００４８】
光モジュール１の電気インターフェース部１４は、光モジュール１を収納するハウジング２の底板２１の後方部位が開口しており、プリント板１３の端部に設けたプリントコンタクト１４１が露呈した構成になっている。
【００４９】
従って、光モジュール１をケージに挿入する際に、光モジュール１が所定の位置に挿着されるときに、プリントコンタクト１４１が、例えば、図示してないカードエッジコネクタに自動的に嵌合し、電気インターフェース部１４が接続されるようになっている。
【００５０】
光モジュール１をケージから抜き取る場合には、把手３を起立させて抜脱すれば、プリントコンタクト１４１を自動的に解合させることができる。
〔第３の実施形態〕
図４は本発明によるデータリンクモジュールである光モジュールを正視した外観斜視図  、図５はデータリンクモジュールである本発明の光モジュールを逆視した展開斜視図、図６は光モジュールの組立工程の説明図（その１）、図７は光モジュールの組立工程の説明図（その２）である。
【００５１】
図１においては、底面に設けられた光モジュールとケージの挿脱の際の係止／解止の機構を説明するために下方からの斜視図を示した。図４に情報からの斜視図を示す。
【００５２】
すなわち、本発明によるデータリンクモジュールである光モジュール１は、図４に示した姿勢で図示してないケージに把手３を倒立させて矢印：５９の方向に押し込んで挿着されたり、把手３を下方向に起立させて矢印：５３の方向に抜脱されたりするようになっている。  また、図４の前面部位が光インターフェース部１２になっており、コネクタ嵌合部１２１の二つの洞穴を通して図示してない光ファイバケーブルが嵌脱されるようになっている。中央部位には光電変換デバイスなどが搭載されたプリント板が実装されおり、ハウジング２に覆われているので外からは見えない。また、後方部位は電気インターフェース部１４になっており、プリント板の端部にプリントコンタクトが設けられてハウジング２の底の開口から露出している。光モジュール１を図示してないケージに挿脱すると、プリントコンタクトが自発的に、例えば、マザーボードに配設されたカードエッジコネクタに嵌脱するようになっているが、この方向からの斜視では見えない。
【００５３】
図５において、光モジュール１の構成は、展開するとケース１１と光インターフェース部１２を構成するコネクタ嵌合部１２１、ケース１１を収納するハウジング２、コネクタ嵌合部１２１に枢支される把手３、ケース１１に実装される光コネクタアセンブリ１２３や光電変換デバイスなどが搭載されたプリント板１３などに分けられる。
【００５４】
光コネクタアセンブリ１２３には、プリント板１３に入出力される光コネクタまたは電気コネクタのレセプタクルの位置決めを行う位置決めスペーサを備えており、レセプタクルを固定するとともに、プリント板１３の電磁遮蔽をより確実に行うことができる。
【００５５】
図６と図７は、組立の手順を示したもので、光モジュール１の組立は、それぞれの部材を引っ繰り返して積み上げていく手順を採る。
【００５６】
すなわち、図６（Ａ）において、ケース１１は天板１５を下にし、手前側は光インターフェース部１２になっており、コネクタ嵌合部１２１を固定する。このコネクタ嵌合部１２１の両側面には、後工程で把手を枢支するカム軸用の軸支孔１２１１が設けてあり、コネクタ嵌合部１２１の実際には底面となる上面には係止ピン１２２を突設している。ケース１１の両側壁面にはプリント板１３を保持するガイド部材１６が設けてあり、まず、２階建てに搭載されて実際には２階となるプリント板１３を架け渡して搭載保持する。
【００５７】
次いで、図６（Ｂ）において、２階建てに搭載されて実際には１階となるプリント板１３をガイド部材１６に架け渡して搭載保持する。この１階のプリント板１３の後方の実際には下面となる端部にはプリントコンタクト１４１が設けてある。このプリントコンタクト１４１は、後工程でケース１１をハウジングに収納しても露出して光モジュール１における電気インターフェース部１４を構成するものである。
【００５８】
次いで、図６（Ｃ）において、光コネクタアセンブリ１２３をレセプタクル１２１の後方に実装し、さらに、後工程でハウジングに収納した際にプリント板１３の実際には下面となる間隙を確保するために、スペーサ部材となる位置決め板１７をガイド部材１６に掛け渡して保持する。この位置決め板１７は、ハウジングが持つ弾性力によって付勢されるため、プリント板１３とハウジングとの距離にばらつき（公差）があったとしても、それを吸収することができる。
【００５９】
ところで、プリント板１３には送信用のドライバや受信用の主増幅器などの高発熱デバイス類が搭載される場合が多い。そこで、本実施例の位置決め板１７は、電磁遮蔽や熱伝導性を持たせるために、例えば、金属薄板で構成している。また、プリント板１３と位置決め板１７の間隙に、例えば、シリコン樹脂などからなる電気絶縁性があって比較的熱伝導のよい放熱部材１８を介在させると効果的である。
【００６０】
次いで、図７（Ｄ）において、コネクタ嵌合部１２１の両側面の軸支孔１２１１にカム軸３２で把手３を枢支する。板カム３１がコネクタ嵌合部１２１からはみ出さないように把手３を図示した向きに倒立させて、ケース１１をハウジング２に収納する。
【００６１】
ハウジング２には、予め、実際には底板２１となる図示上面手前にＴ形舌片２２が形成されており、Ｔ形舌片２２の中央部位には逃げ孔２３が設けてある。そこで、天板１５と位置決め板１７とを沿わせながらハウジング２にケース１１の収納していき、Ｔ形舌片２２の両翼が板カム３１の上に位置し、かつ、逃げ孔２３に係止ピン１２２を遊嵌するようにすれば、光モジュール１の組立が終わる。
【００６２】
こうして、図４に示したような光モジュールの組立が終了する。しかし、本発明の光モジュール構造においては、光モジュールとともに、光モジュールを挿着するケージの底板の手前に、ハウジングの底板に設けたＴ形舌片の脚と逃げ孔に重なるようにＩ形舌片と係止孔を設けることも包含している。
【００６３】
そして、把手の倒立／起立によって動作する板カムが原節となって上下動する従節のＴ形舌片に追動してＩ形舌片も上下動することによって、係止ピンと係止孔が嵌合／解合する作用・効果を発揮し、複雑な可動部材の支援なしに光モジュールを容易にケージに挿入／抜脱することができる。
【００６４】
ハウジングに設けるＴ形舌片やケージに設けるＩ形舌片は、弾性を持たせるために一体構成に限定するものではなく、形状に対しても種々の変形が可能である。
【００６５】
また、係止ピンと係止孔との関係は、嵌合して係止されればよく、形状には種々の変形が可能である。
【００６６】
さらに、本発明によるデータリンクモジュール構造の嵌合／解合機構は、挿着／抜脱する他の機器にも適応可能であり、種々の変形が可能である。
【００６７】
以上説明した実施例ではデータリンクモジュールとして光モジュールを採用した場合について説明したが、データ通信方法が光ではなく電気信号を用いる場合であっても、本発明を採用できることは言うまでもない。
（付記１）  ケージに収容可能なデータリンクモジュールであって、
前記データリンクモジュールは、前記ケージに設けられたケージ舌片の係止孔と嵌合可能な係止ピンと、外部コネクタと嵌合可能なコネクタ嵌合部と、前記コネクタ嵌合部に可動的に接続された把手と、前記外部コネクタと接続される送信素子および／または受信素子と、前記送信素子および／または受信素子と接続される制御回路と、前記制御回路の電  位を外部と接続する電気インターフェースとをハウジング内に収容してなり、前記ハウジングは、これと弾性的に結合されるとともに、前記係止ピンが遊嵌する逃げ孔を有するハウジング舌片を備え、前記データリンクモジュールが前記ケージ内に挿入された状態で前記把手を駆動することにより、前記ハウジング舌片を変位させ、前記ケージ舌片と前記係止ピンとの嵌合状態を解除することを特徴とするデータリンクモジュール。
（付記２）  前記把手は前記コネクタ嵌合部に対して係止軸を中心に可動的に接続されてなり、前記把手の係止軸周辺に設けられたカムにより、前記把手の駆動時に前記ハウジング舌片を変位させることを特徴とする付記1 記載のデータリンクモジュール。
（付記３）  前記制御回路はプリント板に設けられてなり、前記電気インターフェースは前記プリント板の端部に設けられた外部接続端子であって、前記データリンクモジュールが前記ケージに収容された状態で当該電気インターフェースは外部と接続されることを特徴とする付記１記載のデータリンクモジュール。
（付記４）  前記ハウジングは全体が弾性部材によって構成され、前記プリント板は前記ハウジングとの間にスペーサ部材を介してその位置を規制されてなることを特徴とする付記３記載のデータリンクモジュール。
（付記５）  前記コネクタ嵌合部には、前記把手の可動範囲を制限するガイドピンが設けられてなることを特徴とする付記１記載のデータリンクモジュール。
（付記６）  前記コネクタ嵌合部内部に送信素子および／または受信素子の位置決めスペーサを有したことを特徴とする付記１記載のデータリンクモジュール。
【図面の簡単な説明】
【００６８】
【図１】本発明の光モジュールとケージとの挿脱を下方から見た斜視図である。
【図２】把手のカム動作を示す要部の側断面図である。
【図３】本発明の光モジュールの下面を上にして見た斜視図である。
【図４】本発明の光モジュールを正視した外観斜視図である。
【図５】本発明の光モジュールを逆視した展開斜視図である。
【図６】光モジュールの組立工程の説明図（その１）である。
【図７】光モジュールの組立工程の説明図（その２）である。
【図８】光通信装置における光モジュールの挿脱機構の一構成の斜視図である。
【符号の説明】
【００６９】
１    光モジュール
１１  ケース
１２  光インターフェース部            
１２１  コネクタ嵌合部                １２１１  軸支孔
１２２  係止ピン                      １２３  光コネクタアセンブリ
１３  プリント板                                                                １４  電気インターフェース部          １４１  プリントコンタクト
１５  天板                            １６  ガイド部材
１７  位置決め板                      １８  放熱部材
２    ハウジング
２１  底板                            ２２  Ｔ形舌片
２３  逃げ孔
３    把手
３１  板カム                          ３２  カム軸
４    ケージ
４１  底板                            ４２  Ｉ形舌片
４３  係止孔
５０、５１、５２、５３、５４、５５、５６、５７、５８、５９  矢印
【図１】
2005249892.tif 000003
【図２】
2005249892.tif 000004
【図３】
2005249892.tif 000005
【図４】
2005249892.tif 000006
【図５】
2005249892.tif 000007
【図６】
2005249892.tif 000008
【図７】
2005249892.tif 000009
【図８】
2005249892.tif 000010